(57)【特許請求の範囲】
【請求項１】
第１及び第２の領域からなり、前記第１の領域に分離票が分離可能に区画形成された伝票片と、
前記伝票片の前記第１の領域の少なくとも一部と前記第２の領域とに貼着され、前記第１の領域に貼着された領域と前記第２の領域に貼着された領域とが折り線を介して折り畳み可能に隣接し、前記折り線を介して折り畳まれた場合に、前記第２の領域に貼着していた領域が前記第１の領域に対向する剥離台紙とを有し、
前記伝票片の前記第２の領域と、前記剥離台紙の前記第２の領域に対向する領域はそれぞれ、互いの貼着後の剥離が可能、かつ剥離後の貼着が可能な接着構造によって互いに貼着され、
前記第１の領域は、前記剥離台紙のうち、前記剥離台紙が前記折り線を介して折り畳まれた場合に対向する領域の一部と貼着される貼着部を有する配送伝票。
【発明の詳細な説明】
【技術分野】
【０００１】
本発明は、配送物に貼着されて使用される配送伝票に関する。
【背景技術】
【０００２】
従来より、配送物を配送する場合、配送物の配送元及び配送先の住所や氏名あるいは名称等の配送情報が記入された配送伝票が用いられ、配送情報が記入された配送伝票が配送物に貼付され、配送伝票に記入された配送情報に従って配送物が配送先に配送されている。
【０００３】
このような配送伝票としては、配送物に貼付される伝票片に、配送物が配送先に配送された後に配送業者が持ち帰る配達票が分離可能に区画形成されているものが用いられている。この配送伝票を用いた場合、配送物が配送先に配送されると、配達票に受領印が押下され、配達票が伝票片から分離されて配送業者によって持ち帰られることにより、配送物が配送先に配送されたことが管理されることになっている。
【０００４】
上述したように配達票を伝票片から分離して持ち帰るためには、伝票片のうち配達票となる部分が配送物に貼着されていない状態としておく必要がある。そこで、伝票片のうち配達票となる部分のみ粘着層を設けず、それにより、伝票片が配送物に貼着された後においても配達票のみを配送物から離脱可能としている。また、伝票片のうち配達票となる部分のみ粘着層を設けない構成とするとともに、伝票片が配送物に貼着される前の状態にて伝票片に剥離可能に貼着されている剥離台紙に、配達票を分離可能とする切り取り線よりも大きな輪郭を有するハーフカット線を形成し、剥離台紙のハーフカット線の内側となる部分を伝票片とともに配送物に貼着する技術も考えられている（例えば、特許文献１参照。）。このように剥離台紙の一部を伝票片とともに配送物に貼着しておくことにより、配達票を伝票片から分離する際に配送物が汚れてしまうことを回避できるとともに、配達票を伝票片から分離した後に配送伝票の形状に違和感を感じにくくなる。また、剥離台紙のハーフカット線の内側となる領域に情報を表示しておけば、配送伝票を用いて配送物の配送先に所望の情報を通知することができるようになる。
【特許文献１】特許第３９６０５５２号公報
【発明の開示】
【発明が解決しようとする課題】
【０００５】
しかしながら、上述したように、伝票片のうち配達票となる部分のみ粘着層を設けない構成とするとともに、伝票片が配送物に貼着される前の状態にて伝票片に剥離可能に貼着されている剥離台紙に、配達票を分離可能とする切り取り線よりも大きな輪郭を有するハーフカット線を形成し、剥離台紙のハーフカット線の内側となる部分を伝票片とともに配送物に貼着するものにおいては、剥離台紙のうち、配達票を分離可能とする切り取り線よりも大きな輪郭を有するハーフカット線の内側となる部分を伝票片とともに配送物に貼着することになるため、配達票よりも大きな輪郭を有する領域が粘着剤によって配送物に貼着されていない状態となってしまう。これは、剥離台紙のハーフカット線の内側となる部分を伝票片から離脱させないために剥離台紙のハーフカット線の内側となる部分の周縁部を伝票片に貼着させておくためであるが、それにより、伝票片の配送物に対する貼着面積が狭くなり、配送伝票が配送物から離脱しやすくなってしまうという問題点がある。
【０００６】
本発明は、上述したような従来の技術が有する問題点に鑑みてなされたものであって、伝票片が配送物に貼着される前の状態にて伝票片に剥離可能に貼着されている剥離台紙の一部を伝票片とともに配送物に貼着する場合に伝票片の配送物に対する貼着面積を広くすることができる配送伝票を提供することを目的とする。
【課題を解決するための手段】
【０００７】
上記目的を達成するために本発明は、
第１及び第２の領域からなり、前記第１の領域に分離票が分離可能に区画形成された伝票片と、
前記伝票片の前記第１の領域の少なくとも一部と前記第２の領域とに貼着され、前記第１の領域に貼着された領域と前記第２の領域に貼着された領域とが折り線を介して折り畳み可能に隣接し、前記折り線を介して折り畳まれた場合に、前記第２の領域に貼着していた領域が前記第１の領域に対向する剥離台紙とを有し、
前記伝票片の前記第２の領域と、前記剥離台紙の前記第２の領域に対向する領域はそれぞれ、互いの貼着後の剥離が可能、かつ剥離後の貼着が可能な接着構造によって互いに貼着され、
前記第１の領域は、前記剥離台紙のうち、前記剥離台紙が前記折り線を介して折り畳まれた場合に対向する領域の一部と貼着される貼着部を有する。
【０００８】
上記のように構成された本発明においては、配送物に貼着する場合、まず、伝票片の第２の領域と剥離台紙の第２の領域に対向する領域とを剥離する。伝票片の第２の領域と剥離台紙の第２の領域に対向する領域とは、互いの貼着後の剥離が可能な接着構造によって貼着されているため剥離することができる。そして、剥離台紙を折り線を介して折り畳む。すると、剥離台紙のうち第２の領域に貼着していた領域が第１の領域に対向するようになる。この際、伝票片の第１の領域と剥離台紙の第１の領域に対向する領域とは少なくともその一部にて互いに貼着しており、また、折り畳まれた剥離台紙のうち第１の領域に対向するようになった領域の一部は伝票片の貼着部に貼着されるので、剥離台紙の折り畳み状態が保持される。そして、伝票片の第１の領域側の裏面においては、剥離台紙の接着構造が表出し、伝票片の第２の領域側の裏面においては、伝票片の接着構造が表出し、これらの接着構造によって配送物に貼着されることになる。このように配送物に貼着された配送伝票においては、剥離台紙のうち伝票片の第２の領域に貼着していた領域が伝票片の第１の領域に対向しているので、第１の領域に区画形成された分離票を伝票片から分離した場合、分離票が分離した領域には剥離台紙が表出することになる。そのため、分離票を伝票片から分離する際に配送物が汚れてしまうことを回避できるとともに、分離票を伝票片から分離した後に配送伝票の形状に違和感を感じにくくなる。また、剥離台紙の表出する面に情報を表示しておけば、配送伝票を用いて配送物の配送先に所望の情報を通知することができるようになる。
【０００９】
このように、剥離台紙を折り畳むと、伝票片の第１の領域側の裏面においては、剥離台紙の接着構造が表出し、伝票片の第２の領域側の裏面においては、伝票片の接着構造が表出し、これらの接着構造によって配送物に貼着されるので、分離票となる領域が配送物に貼着されていないものと比べて配送伝票の貼着面積が広くなる。これにより、配送伝票が配送物から離脱しにくくなる。
【発明の効果】
【００１０】
以上説明したように本発明においては、第１及び第２の領域からなり、第１の領域に分離票が分離可能に区画形成された伝票片と、伝票片の第１の領域の少なくとも一部と第２の領域とに貼着され、第１の領域に貼着された領域と第２の領域に貼着された領域とが折り線を介して折り畳み可能に隣接し、折り線を介して折り畳まれた場合に、第２の領域に貼着していた領域が第１の領域に対向する剥離台紙とを有し、伝票片の第２の領域と、剥離台紙の第２の領域に対向する領域がそれぞれ、互いの貼着後の剥離が可能、かつ剥離後の貼着が可能な接着構造によって互いに貼着され、第１の領域が、剥離台紙のうち、剥離台紙が折り線を介して折り畳まれた場合に対向する領域の一部と貼着される貼着部を有する構成としたため、剥離台紙を折り畳むと、伝票片の第１の領域側の裏面においては、剥離台紙の接着構造が表出し、伝票片の第２の領域側の裏面においては、伝票片の接着構造が表出し、これらの接着構造によって配送物に貼着されることとなり、それにより、分離票となる領域が配送物に貼着されていないものと比べて配送伝票の貼着面積を広くすることができる。
【発明を実施するための最良の形態】
【００１１】
以下に、本発明の実施の形態について図面を参照して説明する。
【００１２】
（第１の実施の形態）
図１は、本発明の配送伝票の第１の実施の形態を示す図であり、（ａ）は表面から見た図、（ｂ）は（ａ）に示したＡ−Ａ’断面図、（ｃ）は伝票片１０の裏面の構成を示す図、（ｄ）は剥離台紙２０の伝票片１０との貼着面の構成を示す図、（ｅ）は剥離台紙２０の伝票片１０との貼着面とは反対側の面の構成を示す図、（ｆ）は（ａ）に示したＢ−Ｂ’断面図、（ｇ）は（ａ）に示したＣ−Ｃ’断面図である。
【００１３】
本形態は図１に示すように、互いに同一形状を有する伝票片１０と剥離台紙２０とが、伝票片１０の裏面に塗布された粘着剤１４と、接着構造３０とによって貼着されて構成されている。
【００１４】
伝票片１０は、長手方向における中央部を介して分割された第１の領域１０ａと第２の領域１０ｂとからなる。第１の領域１０ａには分離票となる配達票１２が設けられており、また、貼付票１１が第１の領域１０ａと第２の領域１０ｂとに跨るように設けられている。これら貼付票１１及び配達票１２にはそれぞれ、この配送伝票が貼着される配送物の配送元及び配送先の住所や氏名あるいは名称等の配送情報が記入あるいは印字される配送情報表示領域１１ａ，１２ａが設けられており、配達票１２にはさらに、配送物が配送先に届けられた際に受領印を押下するための押印領域１２ｂが設けられている。配達票１２の周囲にはミシン目１３が形成されており、このミシン目１３によって配達票１２は伝票片１０から分離可能に区画形成されている。また、配達票１２の角部には、切り込み１２ｃが形成されており、この切り込み１２ｃが、配達票１２を伝票片１０から分離する際に摘み代となっている。伝票片１０の裏面においては、第１の領域１０ａには粘着剤２１が塗布されており、第２の領域１０ｂには接着構造３０を構成する粘着剤３１と剥離剤３２が塗布されている。
【００１５】
剥離台紙２０は、伝票片１０の第１の領域１０ａに貼着された領域と、伝票片１０の第２の領域１０ｂに貼着された領域とが折り線２２を介して折り畳み可能に隣接している。伝票片１０の第１の領域１０ａに貼着された領域には、配達票１２に対向する領域に、ミシン目１３と重なるようにミシン目２３が形成されており、このミシン目２３によって囲まれた領域が分離部２６となって剥離台紙２０から分離可能となっている。また、伝票片１０の第１の領域１０ａに貼着された領域の周縁部には、剥離台紙２０にスリット２４が形成されることによりコの字型の不要部２７が剥離台紙２０から分離可能に形成されており、この不要部２７の伝票片１０との貼着面には剥離剤２１が塗布されている。伝票片１０の第２の領域１０ｂに貼着された領域には、折り線２２を介して剥離台紙２０が折り畳まれた場合に分離部２６に対向する領域に通知情報２５が印字されている。また、伝票片１０との貼着面には、接着構造３０を構成する粘着剤３１と剥離剤３２が塗布されている。なお、折り線２２は、筋押し加工によって形成されるものやミシン目加工によって形成されるもの等、適宜な方法によって形成されている。
【００１６】
ここで、伝票片１０と剥離台紙２０とを貼着している接着構造３０について説明する。
【００１７】
伝票片１０と剥離台紙２０とを貼着している接着構造３０は、伝票片１０の第２の領域１０ｂと剥離台紙２０の第２の領域１０ｂに対向する領域とにそれぞれ塗布された粘着剤３１と剥離剤３２とから構成されている。粘着剤３１と剥離剤３２は、交互に縞状となるように塗布されており、さらに、伝票片１０と剥離台紙２０とが重ね合わされた状態において互い違いとなるように伝票片１０と剥離台紙２０にそれぞれ塗布されている。このように、粘着剤３１と剥離剤３２とが、伝票片１０と剥離台紙２０とが重ね合わされた状態において互い違いとなるように伝票片１０と剥離台紙２０にそれぞれ塗布されていることにより、伝票片１０と剥離台紙２０とが重ね合わされた状態においては、粘着剤３１と剥離剤３２とが互いに対向することとなり、それにより、伝票片１０と剥離台紙２０とがこの接着構造３０によって貼着された後に剥離が可能となっている。また、粘着剤３１と剥離剤３２とが互いに対向して伝票片１０と剥離台紙２０とが貼着されているため、伝票片１０と剥離台紙２０とを剥離した後においても、粘着剤３１が伝票片１０と剥離台紙２０から剥離することはなく、それにより、伝票片１０と剥離台紙２０との接着構造３０による再貼着、あるいは、伝票片１０や剥離台紙２０の接着構造３０による配送物等の貼着物への貼着が可能となる。
【００１８】
このような構成とすることにより、配送伝票が使用される前の状態においては、伝票片１０の第１の領域１０ａと剥離台紙２０の第１の領域１０ａに対向する領域とが粘着剤１４によって貼着されるとともに、伝票片１０の第２の領域１０ｂと剥離台紙２０の第２の領域１０ｂと対向する領域とが接着構造３０によって剥離可能に貼着されている。
【００１９】
以下に、上記のように構成された配送伝票の使用方法について説明する。
【００２０】
まず、図１に示した配送伝票の配送物に貼着する前までの使用方法について説明する。
【００２１】
図２は、図１に示した配送伝票の配送物に貼着する前までの使用方法を説明するための図である。
【００２２】
図１に示した配送伝票を使用する場合は、まず、剥離台紙２０の第１の領域１０ａに貼着されていた領域のうち不要部２７を伝票片１０から剥離し、剥離台紙２０に形成されたスリット２４によって不要部２７を剥離台紙２０から分離して取り除く（図２（ａ））。不要部２７は伝票片１０の裏面に塗布された粘着剤１４によって伝票片１０に貼着されているものの、伝票片１０との貼着面に剥離剤２１が塗布されているため、伝票片１０から剥離することができる。
【００２３】
次に、伝票片１０の第２の領域１０ｂと剥離台紙２０の第２の領域１０ｂに対向する領域とを剥離し、剥離台紙２０を折り線２２を介して折り畳んでいく（図２（ｂ））。伝票片１０の第２の領域１０ｂと剥離台紙２０の第２の領域１０ｂに対向する領域とを貼着していた接着構造３０は、上述したように貼着後の剥離が可能なものであるため、互いに貼着された伝票片１０の第２の領域１０ｂと剥離台紙２０の第２の領域１０ｂに対向する領域とを剥離することができる。
【００２４】
そして、剥離台紙２０を折り線２２を介して折り畳んでいくと、剥離台紙２０の折り線２２を介して分割された２つの領域が互いに対向するようになる。剥離台紙２０の第１の領域１０ａに対向する領域おいては、不要部２７が取り除かれているため、不要部２７の領域にて伝票片１０の粘着剤１４が塗布された領域が貼着部となって表出している。そのため、剥離台紙２０の折り線２２を介して分割された２つの領域が互いに対向し、剥離台紙２０の第２の領域１０ｂに貼着していた領域が第１の領域１０ａに対向すると、剥離台紙２０の第２の領域１０ｂと貼着していた領域の周縁部が伝票片１０に塗布された粘着剤１４によって伝票片１０に貼着された状態となる（図２（ｃ））。これにより、剥離台紙２０の第２の領域１０ｂと貼着していた領域の周縁部が伝票片１０に保持されることとなり、剥離台紙２０が折り線２２を介して見開くことがなくなる。
【００２５】
このようにして剥離台紙２０を折り線２２を介して折り畳み、剥離台紙２０の第２の領域１０ｂと貼着していた領域の周縁部を伝票片１０に保持した状態において、配送伝票を配送物に貼着することになる。
【００２６】
次に、図２に示したように剥離台紙２０が折り畳まれた配送伝票の配送物に貼着した後の使用方法について説明する。
【００２７】
図３は、図１に示した配送伝票について剥離台紙２０が折り畳まれて配送物に貼着した後の使用方法を説明するための図である。
【００２８】
図２に示したように剥離台紙２０が折り線２２を介して折り畳まれた状態においては、伝票片１０とは反対側の面は、粘着剤３１と剥離剤３２とからなる接着構造３０が表出している（図３（ａ））。この接着構造３０は、上述したように伝票片１０と剥離台紙２０とを剥離した後でも配送物への貼着が可能であるため、この接着構造３０の粘着剤３１を用いて配送伝票を配送物に貼着する（図３（ｂ））。
【００２９】
このように、剥離台紙２０を折り線２２を介して折り畳むことにより伝票片１０とは反対側の面に表出した接着構造３０によって配送伝票が配送物に貼着されるため、配送伝票の全面が配送物への貼着面となり、配送伝票の配送物に対する貼着面積が広くなる。これにより、配送伝票が配送物から離脱しにくくなる。また、剥離台紙２０を折り線２２を介して折り畳むことにより、伝票片１０と剥離台紙２０とを貼着していた接着構造３０を表出させてこの接着構造３０によって配送伝票を配送物に貼着するため、配送伝票を配送物に貼着する際に発生する剥離台紙２０のごみの量を削減することができる。
【００３０】
伝票片１０が貼着された配送物は、配送情報表示領域１１ａ，１２ａに記入あるいは印字された情報に従って配送先に配送されていく。
【００３１】
そして、配送物が配送先に届けられ、配達票１２の押印領域１２ｂに受領印が押下された後、配達票１２の切り込み１２ｃを摘み、ミシン目１３を破断していくことにより配達票１２を伝票片１０から分離する。すると、配達票１２の裏面には、剥離台紙２０に形成されたミシン目２３によって剥離台紙２０から分離可能に形成された分離部２６が粘着剤１４によって貼着されているため、ミシン目２３も破断し、分離部２６が伝票片１０に貼着された状態で剥離台紙２０から分離していく（図３（ｃ），（ｄ））。この際、分離部２６に対向する領域には、剥離台紙２０の折り線２２を介して折り畳まれた領域が存在するため、配達票１２を分離部２６とともに伝票片１０から分離する際、汚れた軍手等をはめた手で配達票１２を分離しても配送物が汚れてしまうことがない。また、配達票１２を伝票片１０から分離した後に配送伝票の形状に違和感を感じにくくなる。
【００３２】
そして、ミシン目１３，２３を完全に破断して配達票１２と分離部２６とを伝票片１０及び剥離台紙２０から分離すると、伝票片１０に貼着されている剥離台紙２０のうち、第２の領域１０ｂに貼着されていて剥離台紙２０が折り線２２を介して折り畳まれたことにより第１の領域１０ａに対向するようになった領域の一部が、配達票１２及び分離部２６が分離された領域にて表出し、その領域に印字された通知情報２５が視認可能な状態となり、通知情報２５が配送物の配送先に通知されることになる（図３（ｅ），（ｆ））。
【００３３】
このように、伝票片１０に貼着された剥離台紙２０を折り線２２を介して折り畳み可能とするとともに、配達票１２に対向する領域を配達票１２とともに分離可能な分離部２６とし、折り線２２を介して折り畳まれた場合に配達票１２及び分離部２６に対向する領域に通知情報２５を印字しておくことにより、配達票１２を分離部２６とともに分離した場合にこの通知情報２５を配送物の配送先に通知することができる。
【００３４】
（第２の実施の形態）
図４は、本発明の配送伝票の第２の実施の形態を示す図であり、（ａ）は表面から見た図、（ｂ）は（ａ）に示したＡ−Ａ’断面図、（ｃ）は伝票片１１０の裏面の構成を示す図、（ｄ）は剥離台紙１２０の伝票片１１０との貼着面の構成を示す図、（ｅ）は剥離台紙１２０の伝票片１１０との貼着面とは反対側の面の構成を示す図、（ｆ）は（ａ）に示したＢ−Ｂ’断面図、（ｇ）は（ａ）に示したＣ−Ｃ’断面図である。
【００３５】
本形態は図４に示すように、互いに同一形状を有する伝票片１１０と剥離台紙１２０とが、伝票片１１０の裏面の一部に塗布された粘着剤１１４と、接着構造１３０とによって貼着されて構成されている。
【００３６】
伝票片１１０は、長手方向における中央部を介して分割された第１の領域１１０ａと第２の領域１１０ｂとからなる。第１の領域１１０ａには分離票となる配達票１１２が設けられており、また、貼付票１１１が第１の領域１１０ａと第２の領域１１０ｂとに跨るように設けられている。これら貼付票１１１及び配達票１１２にはそれぞれ、この配送伝票が貼着される配送物の配送元及び配送先の住所や氏名あるいは名称等の配送情報が記入あるいは印字される配送情報表示領域１１１ａ，１１２ａが設けられており、配達票１１２にはさらに、配送物が配送先に届けられた際に受領印を押下するための押印領域１１２ｂが設けられている。配達票１１２の周囲にはミシン目１１３が形成されており、このミシン目１１３によって配達票１１２は伝票片１１０から分離可能に区画形成されている。また、配達票１１２の角部には、切り込み１１２ｃが形成されており、この切り込み１１２ｃが、配達票１１２を伝票片１１０から分離する際に摘み代となっている。伝票片１０の裏面においては、第１の領域１１０ａには配達票１１２を除く領域に粘着剤１２１が塗布されており、第２の領域１１０ｂには接着構造１３０を構成する粘着剤１３１と剥離剤１３２が塗布されている。
【００３７】
剥離台紙１２０は、伝票片１１０の第１の領域１１０ａに貼着された領域と、伝票片１１０の第２の領域１１０ｂに貼着された領域とが折り線１２２を介して折り畳み可能に隣接している。伝票片１１０の第１の領域１１０ａに貼着された領域においては、配達票１１２に対向する領域と折り線１２２との間に折り線１２２に沿うようにスリット１２４が形成されており、このスリット１２４によって折り線１２２とは反対側となる不要部１２７が剥離台紙１２０から分離可能となっている。この不要部１２７の伝票片１１０との貼着面には剥離剤１２１が塗布されている。伝票片１１０の第２の領域１１０ｂに貼着された領域においては、折り線１２２を介して剥離台紙１２０が折り畳まれた場合に配達票１１２に対向する領域に通知情報１２５が印字されている。また、伝票片１１０との貼着面には、接着構造１３０を構成する粘着剤１３１と剥離剤１３２が塗布されている。なお、折り線１２２は、筋押し加工によって形成されるものやミシン目加工によって形成されるもの等、適宜な方法によって形成されている。
【００３８】
伝票片１１０と剥離台紙１２０とを貼着している接着構造１３０においては、第１の実施の形態にて示したものと同様に、伝票片１１０の第２の領域１１０ｂと剥離台紙１２０の第２の領域１１０ｂに対向する領域とにそれぞれ塗布された粘着剤１３１と剥離剤１３２とから構成されており、伝票片１１０と剥離台紙１２０との接着構造１３０による再貼着、あるいは、伝票片１１０や剥離台紙１２０の接着構造１３０による配送物等の貼着物への貼着が可能となっている。
【００３９】
このような構成とすることにより、配送伝票が使用される前の状態においては、伝票片１１０の第１の領域１１０ａと剥離台紙１２０の第１の領域１１０ａに対向する領域とが粘着剤１１４によって貼着されるとともに、伝票片１１０の第２の領域１１０ｂと剥離台紙１２０の第２の領域１１０ｂと対向する領域とが接着構造１３０によって剥離可能に貼着されている。
【００４０】
以下に、上記のように構成された配送伝票の使用方法について説明する。
【００４１】
まず、図４に示した配送伝票の配送物に貼着する前までの使用方法について説明する。
【００４２】
図５は、図４に示した配送伝票の配送物に貼着する前までの使用方法を説明するための図である。
【００４３】
図４に示した配送伝票を使用する場合は、まず、剥離台紙１２０の第１の領域１１０ａに貼着されていた領域のうち不要部１２７を伝票片１１０から剥離し、剥離台紙１２０に形成されたスリット１２４によって不要部１２７を剥離台紙１２０から分離して取り除く（図５（ａ））。不要部１２７は伝票片１１０の裏面に塗布された粘着剤１１４によって伝票片１１０に貼着されているものの、伝票片１１０との貼着面に剥離剤１２１が塗布されているため、伝票片１１０から剥離することができる。
【００４４】
次に、伝票片１１０の第２の領域１１０ｂと剥離台紙１２０の第２の領域１１０ｂに対向する領域とを剥離し、剥離台紙１２０を折り線１２２を介して折り畳んでいく（図５（ｂ））。伝票片１１０の第２の領域１１０ｂと剥離台紙１２０の第２の領域１１０ｂに対向する領域とを貼着していた接着構造１３０は、上述したように貼着後の剥離が可能なものであるため、互いに貼着された伝票片１１０の第２の領域１１０ｂと剥離台紙１２０の第２の領域１１０ｂに対向する領域とを剥離することができる。
【００４５】
そして、剥離台紙１２０を折り線１２２を介して折り畳んでいくと、剥離台紙１２０の第１の領域１１０ａに対向する領域おいては、不要部１２７が取り除かれているため、剥離台紙１２０の第２の領域１１０ｂに貼着していた領域が第１の領域１１０ａに対向するようになる。ここで、第１の領域１１０ａにおいては、不要部１２７が貼着していた領域にて伝票片１１０の粘着剤１１４が塗布された領域が貼着部となって表出している。そのため、剥離台紙１２０の第２の領域１１０ｂと貼着していた領域が伝票片１１０に塗布された粘着剤１１４によって伝票片１１０に貼着された状態となる（図５（ｃ））。これにより、剥離台紙１２０の第２の領域１１０ｂと貼着していた領域が伝票片１１０に保持されることとなり、剥離台紙１２０が折り線１２２を介して見開くことがなくなる。
【００４６】
このようにして剥離台紙１２０を折り線１２２を介して折り畳み、剥離台紙１２０の第２の領域１１０ｂと貼着していた領域を伝票片１１０に保持した状態において、配送伝票を配送物に貼着することになる。
【００４７】
次に、図５に示したように剥離台紙１２０が折り畳まれた配送伝票の配送物に貼着した後の使用方法について説明する。
【００４８】
図６は、図４に示した配送伝票について剥離台紙１２０が折り畳まれて配送物に貼着した後の使用方法を説明するための図である。
【００４９】
図５に示したように剥離台紙１２０が折り線１２２を介して折り畳まれた状態においては、伝票片１１０とは反対側の面は、粘着剤１３１と剥離剤１３２とからなる接着構造１３０が表出している（図６（ａ））。この接着構造１３０は、上述したように伝票片１１０と剥離台紙１２０とを剥離した後でも配送物への貼着が可能であるため、この接着構造１３０の粘着剤１３１を用いて配送伝票を配送物に貼着する（図６（ｂ））。
【００５０】
このように、剥離台紙１２０を折り線１２２を介して折り畳むことにより伝票片１１０とは反対側の面に表出した接着構造１３０によって配送伝票が配送物に貼着されるため、配送伝票の全面が配送物への貼着面となり、配送伝票の配送物に対する貼着面積が広くなる。これにより、配送伝票が配送物から離脱しにくくなる。
【００５１】
伝票片１１０が貼着された配送物は、配送情報表示領域１１１ａ，１１２ａに記入あるいは印字された情報に従って配送先に配送されていく。
【００５２】
そして、配送物が配送先に届けられ、配達票１１２の押印領域１１２ｂに受領印が押下された後、配達票１１２の切り込み１１２ｃを摘み、ミシン目１１３を破断していくことにより配達票１１２を伝票片１１０から分離する（図６（ｃ），（ｄ））。この際、配達票１１２に対向する領域には、剥離台紙１２０の折り線１２２を介して折り畳まれた領域が存在するため、配達票１１２を伝票片１１０から分離する際、汚れた軍手等をはめた手で配達票１１２を分離しても配送物が汚れてしまうことがない。また、配達票１１２を伝票片１１０から分離した後に配送伝票の形状に違和感を感じにくくなる。
【００５３】
そして、ミシン目１１３を完全に破断して配達票１１２を伝票片１１０から分離すると、伝票片１１０に貼着されている剥離台紙１２０のうち、第２の領域１１０ｂに貼着されていて剥離台紙１２０が折り線１２２を介して折り畳まれたことにより第１の領域１１０ａに対向するようになった領域の一部が、配達票１１２が分離された領域にて表出し、その領域に印字された通知情報１２５が視認可能な状態となり、通知情報１２５が配送物の配送先に通知されることになる（図６（ｅ），（ｆ））。
【００５４】
このように、伝票片１１０に貼着された剥離台紙１２０を折り線１２２を介して折り畳み可能とするとともに、折り線１２２を介して折り畳まれた場合に配達票１１２に対向する領域に通知情報１２５を印字しておくことにより、配達票１１２を分離した場合にこの通知情報１２５を配送物の配送先に通知することができる。
【００５５】
（第３の実施の形態）
図７は、本発明の配送伝票の第３の実施の形態を示す図であり、（ａ）は表面から見た図、（ｂ）は（ａ）に示したＡ−Ａ’断面図、（ｃ）は伝票片２１０の裏面の構成を示す図、（ｄ）は剥離台紙２２０の伝票片２１０との貼着面の構成を示す図、（ｅ）は剥離台紙２２０の伝票片２１０との貼着面とは反対側の面の構成を示す図、（ｆ）は（ａ）に示したＢ−Ｂ’断面図、（ｇ）は（ａ）に示したＣ−Ｃ’断面図である。
【００５６】
本形態は図７に示すように、外形形状が互いに同一である伝票片２１０と剥離台紙２２０とが、伝票片２１０の裏面の一部に塗布された粘着剤２１４と、接着構造２３０とによって貼着されて構成されている。
【００５７】
伝票片２１０は、長手方向における中央部を介して分割された第１の領域２１０ａと第２の領域２１０ｂとからなる。第１の領域２１０ａには分離票となる配達票２１２が設けられており、また、貼付票２１１が第１の領域２１０ａと第２の領域２１０ｂとに跨るように設けられている。これら貼付票２１１及び配達票２１２にはそれぞれ、この配送伝票が貼着される配送物の配送元及び配送先の住所や氏名あるいは名称等の配送情報が記入あるいは印字される配送情報表示領域２１１ａ，２１２ａが設けられており、配達票２１２にはさらに、配送物が配送先に届けられた際に受領印を押下するための押印領域２１２ｂが設けられている。配達票２１２の周囲にはミシン目２１３が形成されており、このミシン目２１３によって配達票２１２は伝票片２１０から分離可能に区画形成されている。また、配達票２１２の角部には、切り込み２１２ｃが形成されており、この切り込み２１２ｃが、配達票２１２を伝票片２１０から分離する際に摘み代となっている。伝票片２０の裏面においては、第１の領域２１０ａには配達票２１２を除く領域の一部に、配達票２１２を取り囲むように粘着剤２２１が塗布されており、第２の領域２１０ｂには接着構造２３０を構成する粘着剤２３１と剥離剤２３２が塗布されている。
【００５８】
剥離台紙２２０は、伝票片２１０の第１の領域２１０ａに貼着された領域と、伝票片２１０の第２の領域２１０ｂに貼着された領域とが折り線２２２を介して折り畳み可能に隣接している。伝票片２１０の第１の領域２１０ａに貼着された領域は、伝票片２１０の粘着剤２１４が塗布された領域のみに対向する形状を有している。そして、折り線２２２に沿う領域にスリット２２４が形成されており、このスリット２２４によって不要部２２７が剥離台紙２２０から分離可能となっている。この不要部２２７の伝票片２１０との貼着面には剥離剤２２１が塗布されている。伝票片２１０の第２の領域２１０ｂに貼着された領域においては、折り線２２２を介して剥離台紙２２０が折り畳まれた場合に配達票２１２に対向する領域に通知情報２２５が印字されている。また、伝票片２１０との貼着面には、接着構造２３０を構成する粘着剤２３１と剥離剤２３２が塗布されている。なお、折り線２２２は、筋押し加工によって形成されるものやミシン目加工によって形成されるもの等、適宜な方法によって形成されている。
【００５９】
伝票片２１０と剥離台紙２２０とを貼着している接着構造２３０においては、第１の実施の形態にて示したものと同様に、伝票片２１０の第２の領域２１０ｂと剥離台紙２２０の第２の領域２１０ｂに対向する領域とにそれぞれ塗布された粘着剤２３１と剥離剤２３２とから構成されており、伝票片２１０と剥離台紙２２０との接着構造２３０による再貼着、あるいは、伝票片２１０や剥離台紙２２０の接着構造２３０による配送物等の貼着物への貼着が可能となっている。
【００６０】
このような構成とすることにより、配送伝票が使用される前の状態においては、伝票片２１０の第１の領域２１０ａと剥離台紙２２０の第１の領域２１０ａに対向する領域とが粘着剤２１４によって貼着されるとともに、伝票片２１０の第２の領域２１０ｂと剥離台紙２２０の第２の領域２１０ｂと対向する領域とが接着構造２３０によって剥離可能に貼着されている。
【００６１】
以下に、上記のように構成された配送伝票の使用方法について説明する。
【００６２】
まず、図７に示した配送伝票の配送物に貼着する前までの使用方法について説明する。
【００６３】
図８は、図７に示した配送伝票の配送物に貼着する前までの使用方法を説明するための図である。
【００６４】
図７に示した配送伝票を使用する場合は、まず、剥離台紙２２０の第１の領域２１０ａに貼着されていた領域のうち不要部２２７を伝票片２１０から剥離し、剥離台紙２２０に形成されたスリット２２４によって不要部２２７を剥離台紙２２０から分離して取り除く（図８（ａ））。不要部２２７は伝票片２１０の裏面に塗布された粘着剤２１４によって伝票片２１０に貼着されているものの、伝票片２１０との貼着面に剥離剤２２１が塗布されているため、伝票片２１０から剥離することができる。
【００６５】
次に、伝票片２１０の第２の領域２１０ｂと剥離台紙２２０の第２の領域２１０ｂに対向する領域とを剥離し、剥離台紙２２０を折り線２２２を介して折り畳んでいく（図８（ｂ））。伝票片２１０の第２の領域２１０ｂと剥離台紙２２０の第２の領域２１０ｂに対向する領域とを貼着していた接着構造２３０は、上述したように貼着後の剥離が可能なものであるため、互いに貼着された伝票片２１０の第２の領域２１０ｂと剥離台紙２２０の第２の領域２１０ｂに対向する領域とを剥離することができる。
【００６６】
そして、剥離台紙２２０を折り線２２２を介して折り畳んでいくと、剥離台紙２２０の第１の領域２１０ａに対向する領域おいては、不要部２２７が取り除かれているため、剥離台紙２２０の第２の領域２１０ｂに貼着していた領域が第１の領域２１０ａに対向するようになる。ここで、第１の領域２１０ａにおいては、不要部２２７が貼着していた領域にて伝票片２１０の粘着剤２１４が塗布された領域が貼着部となって表出している。そのため、剥離台紙２２０の第２の領域２１０ｂと貼着していた領域が伝票片２１０に塗布された粘着剤２１４によって伝票片２１０に貼着された状態となる（図８（ｃ））。これにより、剥離台紙２２０の第２の領域２１０ｂと貼着していた領域が伝票片２１０に保持されることとなり、剥離台紙２２０が折り線２２２を介して見開くことがなくなる。
【００６７】
このようにして剥離台紙２２０を折り線２２２を介して折り畳み、剥離台紙２２０の第２の領域２１０ｂと貼着していた領域を伝票片２１０に保持した状態において、配送伝票を配送物に貼着することになる。
【００６８】
次に、図８に示したように剥離台紙２２０が折り畳まれた配送伝票の配送物に貼着した後の使用方法について説明する。
【００６９】
図９は、図７に示した配送伝票について剥離台紙２２０が折り畳まれて配送物に貼着した後の使用方法を説明するための図である。
【００７０】
図８に示したように剥離台紙２２０が折り線２２２を介して折り畳まれた状態においては、伝票片２１０とは反対側の面は、粘着剤２３１と剥離剤２３２とからなる接着構造２３０が表出している（図９（ａ））。この接着構造２３０は、上述したように伝票片２１０と剥離台紙２２０とを剥離した後でも配送物への貼着が可能であるため、この接着構造２３０の粘着剤２３１を用いて配送伝票を配送物に貼着する（図９（ｂ））。
【００７１】
このように、剥離台紙２２０を折り線２２２を介して折り畳むことにより伝票片２１０とは反対側の面に表出した接着構造２３０によって配送伝票が配送物に貼着されるため、配送伝票の全面が配送物への貼着面となり、配送伝票の配送物に対する貼着面積が広くなる。これにより、配送伝票が配送物から離脱しにくくなる。
【００７２】
伝票片２１０が貼着された配送物は、配送情報表示領域２１１ａ，２１２ａに記入あるいは印字された情報に従って配送先に配送されていく。
【００７３】
そして、配送物が配送先に届けられ、配達票２１２の押印領域２１２ｂに受領印が押下された後、配達票２１２の切り込み２１２ｃを摘み、ミシン目２１３を破断していくことにより配達票２１２を伝票片２１０から分離する（図９（ｃ），（ｄ））。この際、配達票２１２に対向する領域には、剥離台紙２２０の折り線２２２を介して折り畳まれた領域が存在するため、配達票２１２を伝票片２１０から分離する際、汚れた軍手等をはめた手で配達票２１２を分離しても配送物が汚れてしまうことがない。また、配達票２１２を伝票片２１０から分離した後に配送伝票の形状に違和感を感じにくくなる。
【００７４】
そして、ミシン目２１３を完全に破断して配達票２１２を伝票片２１０から分離すると、伝票片２１０に貼着されている剥離台紙２２０のうち、第２の領域２１０ｂに貼着されていて剥離台紙２２０が折り線２２２を介して折り畳まれたことにより第１の領域２１０ａに対向するようになった領域の一部が、配達票２１２が分離された領域にて表出し、その領域に印字された通知情報２２５が視認可能な状態となり、通知情報２２５が配送物の配送先に通知されることになる（図９（ｅ），（ｆ））。
【００７５】
このように、伝票片２１０に貼着された剥離台紙２２０を折り線２２２を介して折り畳み可能とするとともに、折り線２２２を介して折り畳まれた場合に配達票２１２に対向する領域に通知情報２２５を印字しておくことにより、配達票２１２を分離した場合にこの通知情報２２５を配送物の配送先に通知することができる。
【００７６】
なお、上述した３つの実施の形態における伝票片１０，１１０，２１０の第２の領域１０ｂ，１１０ｂ，２１０ｂと剥離台紙２０，１２０，２２０の第２の領域１０ｂ，１１０ｂ，２１０ｂに対向する領域とを剥離可能に貼着する接着構造３０，１３０，２３０においては、上述したように粘着剤３１，１３１，２３１と剥離剤３２，１３２，２３２とが互い違いに塗布されたものに限らず、互いの貼着後の剥離が可能であって、かつ、剥離後の貼着が可能なものであればよい。例えば、粘着剤を網点状に塗布したり、千鳥格子状や斜行状に塗布したりする等、粘着剤の塗布形状を工夫することにより、互いの貼着後の剥離が可能であって、かつ、剥離後の貼着が可能なものとすることができる。
【図面の簡単な説明】
【００７７】
【図１】本発明の配送伝票の第１の実施の形態を示す図であり、（ａ）は表面から見た図、（ｂ）は（ａ）に示したＡ−Ａ’断面図、（ｃ）は伝票片の裏面の構成を示す図、（ｄ）は剥離台紙の伝票片との貼着面の構成を示す図、（ｅ）は剥離台紙の伝票片との貼着面とは反対側の面の構成を示す図、（ｆ）は（ａ）に示したＢ−Ｂ’断面図、（ｇ）は（ａ）に示したＣ−Ｃ’断面図である。
【図２】図１に示した配送伝票の配送物に貼着する前までの使用方法を説明するための図である。
【図３】図１に示した配送伝票について剥離台紙が折り畳まれて配送物に貼着した後の使用方法を説明するための図である。
【図４】本発明の配送伝票の第２の実施の形態を示す図であり、（ａ）は表面から見た図、（ｂ）は（ａ）に示したＡ−Ａ’断面図、（ｃ）は伝票片の裏面の構成を示す図、（ｄ）は剥離台紙の伝票片との貼着面の構成を示す図、（ｅ）は剥離台紙の伝票片との貼着面とは反対側の面の構成を示す図、（ｆ）は（ａ）に示したＢ−Ｂ’断面図、（ｇ）は（ａ）に示したＣ−Ｃ’断面図である。
【図５】図４に示した配送伝票の配送物に貼着する前までの使用方法を説明するための図である。
【図６】図４に示した配送伝票について剥離台紙が折り畳まれて配送物に貼着した後の使用方法を説明するための図である。
【図７】本発明の配送伝票の第３の実施の形態を示す図であり、（ａ）は表面から見た図、（ｂ）は（ａ）に示したＡ−Ａ’断面図、（ｃ）は伝票片の裏面の構成を示す図、（ｄ）は剥離台紙の伝票片との貼着面の構成を示す図、（ｅ）は剥離台紙の伝票片との貼着面とは反対側の面の構成を示す図、（ｆ）は（ａ）に示したＢ−Ｂ’断面図、（ｇ）は（ａ）に示したＣ−Ｃ’断面図である。
【図８】図７に示した配送伝票の配送物に貼着する前までの使用方法を説明するための図である。
【図９】図７に示した配送伝票について剥離台紙が折り畳まれて配送物に貼着した後の使用方法を説明するための図である。
【符号の説明】
【００７８】
１０，１１０，２１０    伝票片
１０ａ，１１０ａ，２１０ａ    第１の領域
１０ｂ，１１０ｂ，２１０ｂ    第２の領域
１１，１１１，２１１    貼付票
１１ａ，１２ａ，１１１ａ，１１２ａ，２１１ａ，２１２ａ    配送伝票表示領域
１２ｂ，１１２ｂ，２１２ｂ    押印領域
１２ｃ，１１２ｃ，２１２ｃ    切り込み
１３，２３，１１３，２１３    ミシン目
１４，３１，１１４，１３１，２１４，２３１    粘着剤
２０，１２０，２２０    剥離台紙
２１，３２，１２１，１３２，２２１，２３２    剥離剤
２２，１２２，２２２    折り線
２４，１２４，２２４    スリット
２５，１２５，２２５    通知情報
２６    分離部
２７，１２７，２２７    不要部
３０，１３０，２３０    接着構造
【図１】
0005020874.tif 000002
【図２】
0005020874.tif 000003
【図３】
0005020874.tif 000004
【図４】
0005020874.tif 000005
【図５】
0005020874.tif 000006
【図６】
0005020874.tif 000007
【図７】
0005020874.tif 000008
【図８】
0005020874.tif 000009
【図９】
0005020874.tif 000010